(57)【要約】【課題】レンズ周縁部の境界特性を改善することができ、度数の可変範囲を大きくすることができると共に、レンズの周縁部の接着剤による外観の悪化をなくすことができる可変焦点レンズ及び可変焦点レンズを使用した計器並びに表示器を提供する。【解決手段】剛性を有した透明基板２の表面を覆って弾性を有した透明膜３が配設され、透明基板２と透明膜３の周縁部が接着剤４により接着され、透明基板２と透明膜３との間に透明液体８が充填された可変焦点レンズである。透明基板２の周縁端面と透明膜３の裏面周縁部に接着剤４が付されて透明膜３と透明基板２が接着される。透明基板２に透明液体流通用の通路５が設けられる。【選択図】図１
2005284066.tif 000002
【特許請求の範囲】
【請求項１】
剛性を有した透明基板の表面を覆って弾性を有した透明膜が配設され、該透明基板と該透明膜の周縁部が接着剤により接着され、該透明基板と該透明膜との間に透明液体が充填された可変焦点レンズであって、該透明基板の周縁端面と該透明膜の裏面周縁部に接着剤が付されて該透明膜と透明基板が接着され、透明基板に透明液体流通用の通路が設けられたことを特徴とする可変焦点レンズ。
【請求項２】
前記透明基板に設けた通路の出口にチューブが接続され、チューブの先端に注入器が接続され、該注入器により透明液体の充填量を変えて焦点距離を変化させることを特徴とする請求項１記載の可変焦点レンズ。
【請求項３】
前記透明基板の表裏両面に前記透明膜が接着され、該透明基板の表裏両面と両側の透明膜との間に透明液体が充填されたことを特徴とする請求項１記載の可変焦点レンズ。
【請求項４】
前記透明基板は平坦な透明板で形成されている請求項１記載の可変焦点レンズ。
【請求項５】
前記透明基板は前記透明膜側に凸状に膨出した凸面を有して形成されている請求項１記載の可変焦点レンズ。
【請求項６】
筒状体の表裏両面の開口部を覆って弾性を有した透明膜が接着され、該両透明膜の内側で筒状体内に透明液体が充填された可変焦点レンズであって、該筒状体の外周面と該両透明膜の裏面周縁部に接着剤が付されて該両透明膜と筒状体が接着され、筒状体に透明液体流通用の通路が設けられたことを特徴とする可変焦点レンズ。
【請求項７】
剛性を有した透明基板の上に筒状体が接着され、該筒状体の開口部を覆って弾性を有した透明膜が配設され、該筒状体と該透明膜の周縁部が接着剤により接着され、該透明基板と該透明膜と該筒状体との内側に透明液体が充填された可変焦点レンズであって、該筒状体の外周面と該透明膜の裏面周縁部に接着剤が付されて該透明膜と該筒状体が接着され、該透明基板または筒状体に透明液体流通用の通路が設けられたことを特徴とする可変焦点レンズ。
【請求項８】
剛性を有した透明基板の表面を覆って弾性を有した透明膜が配設され、該透明基板と該透明膜の周縁部が枠体を介して接着剤により接着され、該透明基板と該透明膜との間に透明液体が充填された可変焦点レンズであって、該透明基板の上面に該枠体が接着され、該枠体の周縁端面と該透明膜の裏面周縁部に接着剤が付されて該透明膜と枠体が接着され、透明基板に透明液体流通用の通路が設けられたことを特徴とする可変焦点レンズ。
【請求項９】
剛性を有した透明基板の表面を覆って弾性を有した透明膜が配設され、該透明基板と該透明膜の周縁部が枠体を介して接着剤により接着され、該透明基板と該透明膜との間に透明液体が充填された可変焦点レンズであって、該枠体の内側に該透明基板が嵌入して接着され、該枠体の上面に接着剤が付されて該透明膜の周縁部が該枠体上に接着され、透明基板に透明液体流通用の通路が設けられたことを特徴とする可変焦点レンズ。
【請求項１０】
計器盤の前面に可変焦点レンズを配設した計器であって、該可変焦点レンズは、剛性を有した透明基板の表面を覆って弾性を有した透明膜が配設され、該透明基板と該透明膜の周縁部が接着剤により接着され、該透明基板と該透明膜との間に透明液体が充填されて構成され、該透明基板の周縁端面と該透明膜の裏面周縁部に接着剤が付されて該透明膜と透明基板が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする計器。
【請求項１１】
計器盤の前面に可変焦点レンズを配設した計器であって、該可変焦点レンズは、剛性を有した透明基板の表面を覆って弾性を有した透明膜が配設され、該透明基板と該透明膜の周縁部が枠体を介して接着され、該透明基板と該透明膜との間に透明液体が充填されて構成され、該透明基板の上面に該枠体が接着され、該枠体の外周縁端面と該透明膜の裏面周縁部に接着剤が付されて該透明膜と枠体が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする計器。
【請求項１２】
計器盤の前面に可変焦点レンズを配設した計器であって、該可変焦点レンズは、剛性を有した透明基板の表面を覆って弾性を有した透明膜が配設され、該透明基板と該透明膜の周縁部が枠体を介して接着され、該透明基板と該透明膜との間に透明液体が充填されて構成され、該透明基板の上面に該枠体が接着され、該枠体の上面に接着剤が付されて該透明膜と枠体が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする計器。
【請求項１３】
表示部の前面に可変焦点レンズを配設した表示器であって、該可変焦点レンズは、剛性を有した透明基板の表面を覆って弾性を有した透明膜が配設され、該透明基板と該透明膜の周縁部が接着剤により接着され、該透明基板と該透明膜との間に透明液体が充填されて構成され、該透明基板の周縁端面と該透明膜の裏面周縁部に接着剤が付されて該透明膜と透明基板が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする表示器。
【請求項１４】
表示部の前面に可変焦点レンズを配設した表示器であって、該可変焦点レンズは、剛性を有した透明基板の表面を覆って弾性を有した透明膜が配設され、該透明基板と該透明膜の周縁部が枠体を介して接着され、該透明基板と該透明膜との間に透明液体が充填されて構成され、該透明基板の上面に該枠体が接着され、該枠体の外周縁端面と該透明膜の裏面周縁部に接着剤が付されて該透明膜と枠体が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする表示器。
【請求項１５】
表示部の前面に可変焦点レンズを配設した表示器であって、該可変焦点レンズは、剛性を有した透明基板の表面を覆って弾性を有した透明膜が配設され、該透明基板と該透明膜の周縁部が枠体を介して接着され、該透明基板と該透明膜との間に透明液体が充填されて構成され、該透明基板の上面に該枠体が接着され、該枠体の上面に接着剤が付されて該透明膜と枠体が接着され、透明基板に透明液体流通用の通路が設けられ、該通路の出口にチューブが接続され、チューブの先端に注入器が接続され、該注入器により透明液体の充填量を変えて該可変焦点レンズの焦点距離を変化させることを特徴とする表示器。
【発明の詳細な説明】
【技術分野】
【０００１】
本発明は、透明基板上を覆うように周縁部を接着した透明膜の内側に透明液体を充填し、その透明液体の充填量を変えることにより、レンズの焦点距離を変化させる構造の可変焦点レンズとその可変焦点レンズを用いた計器並びに表示器に関する。
【背景技術】
【０００２】
従来、レンズの焦点距離を変化可能な可変焦点レンズとして、円形リング状の支持枠の両側に透明弾性膜を張設し、内部に透明液体を充填した構造の可変焦点レンズが、下記特許文献１等により提案されている。この可変焦点レンズは、内部に充填した透明液体の自重により両側の透明弾性膜が変形し易く、レンズ面に不均一な湾曲変形が生じ、レンズの性能が低下する問題があった。
【０００３】
そこで、レンズ体の一面を剛性の高い透明板で形成し、他方の面を弾性変形可能な透明合成樹脂板で形成し、その内側に透明液体を充填した可変焦点レンズが提案された。この可変焦点レンズは、レンズ体の一面が剛性の高い透明板で形成され、その透明板の周囲には支持枠体が嵌着され、透明板の前面に空間を介して、弾性変形可能な透明合成樹脂板を支持枠体に取り付けて構成されていた。また、この可変焦点レンズは、支持枠体と透明板の周縁部との間及び支持板と透明合成樹脂板の周縁部との間に、ゴム製のＯリングを入れることにより、その箇所をシールして内部の透明液体の漏洩を防止し、透明合成樹脂板に均一な変形を生じさせるようにしていた。
【０００４】
しかしながら、この可変焦点レンズは、透明合成樹脂板が不均一な湾曲変形を生じにくく、比較的良好なレンズ性能を得ることができるものの、透明板の周縁部と透明合成樹脂板の周縁部とが離れて支持枠体の内側に固着される構造のため、支持枠体の形状が厚く大型化する共に、透明合成樹脂板の内側に充填する透明液体の充填量が多くなって可変焦点レンズの重量が増大し、また、Ｏリング等が使用されるために構造が複雑化し、部品点数も増大する問題があった。
【０００５】
そこで、本発明者は、下記特許文献２により、剛性を有してレンズ形状に形成された剛性レンズの凸面側に、その凸面を覆うように弾性を有する透明膜を配設し、その透明膜の周縁部を剛性レンズの表面に表側から接着し、剛性レンズと透明膜との間に透明液体を充填するようにした可変焦点レンズを提案した。
【特許文献１】特開昭５５−３６８５７号公報
【特許文献２】特開２００２−１０７６７８公報
【発明の開示】
【発明が解決しようとする課題】
【０００６】
しかし、この可変焦点レンズは、透明膜が剛性レンズの凸面側に凸面を覆うように配設され、透明膜の周縁部が剛性レンズの表面に接着されるため、剛性レンズと透明膜の間に入る透明液体の充填量が少なく、レンズ体の厚さを薄くすることができるものの、透明膜の周縁部を剛性レンズの前表面に接着する場合、剛性レンズの周縁部前表面に接着剤を塗布し、それを透明膜の周縁部で押さえて接着するために、レンズ周縁部の膨出時の膨出量が大きい場合、透明膜の周縁部の接着強度が悪化しやすいという課題があった。さらに、押さえられた接着剤が剛性レンズの内側に滲み出て、接着剤層の形状が内側に拡大すると共に、その接着剤の拡大形状がランダムに広がり、可変焦点レンズの見栄えが悪化するという課題があった。
【０００７】
本発明は、上記の点に鑑みてなされたもので、レンズ周縁部の境界特性を改善することができ、レンズ周縁部の接着強度が大となって、度数の可変範囲を大きくすることができると共に、レンズの周縁部の接着剤による外観の悪化をなくすことができる可変焦点レンズを提供することを目的とする。さらに、本発明は、可変焦点レンズにより表示面を見やすく拡大表示することができる計器及び表示器を提供することを目的とする。
【課題を解決するための手段】
【０００８】
上記目的を達成するために、本発明の可変焦点レンズは、剛性を有した透明基板の表面を覆って弾性を有した透明膜が配設され、透明基板と透明膜の周縁部が接着剤により接着され、透明基板と透明膜との間に透明液体が充填された可変焦点レンズであって、透明基板の周縁端面と透明膜の裏面周縁部に接着剤が付されて透明膜と透明基板が接着され、透明基板に透明液体流通用の通路が設けられたことを特徴とする。
【０００９】
ここで、上記可変焦点レンズは、請求項２のように、上記透明基板に設けた通路の出口にチューブが接続され、チューブの先端に注入器が接続され、注入器により透明液体の充填量を変えて焦点距離を変化させる構成とすることができる。
【００１０】
また、請求項３のように、上記透明基板の表裏両面に透明膜が接着され、透明基板の表裏両面と両側の透明膜との間に透明液体を充填することができる。
【００１１】
また、請求項４のように、上記透明基板は平坦な透明板で形成することができる。
【００１２】
さらに、請求項５のように、上記透明基板は透明膜側に凸状に膨出した凸面を有して形成することができる。
【発明の効果】
【００１３】
このような構成の可変焦点レンズは、例えばルーペなどの拡大鏡用の凸レンズとして使用される。透明膜の内側に充填する透明液体の充填量を、例えばシリンジ式注入器により変化させることにより、レンズ表面の曲率が変化し、レンズの度数を調整する。透明液体は、例えば透明基板に設けた通路とチューブを通して、シリンジ式注入器により透明基板と透明膜の間に供給し充填量を変化させる。
【００１４】
この可変焦点レンズは、透明基板の周縁端面と透明膜の裏面周縁部に接着剤が付されて透明膜と透明基板が接着されているため、従来のように透明基板の前面周縁部に透明膜を接着する場合に比べ、透明膜の周縁部の膨出時の立ち上がりを良好にすることができ、それによってレンズ周縁部における境界特性を改善することができる。
【００１５】
つまり、従来では、透明基板の前面周縁部に重ねるように透明膜の周縁部の裏面が接着されていたから、透明膜の膨出時の周縁部の立ち上がりが抑制され、レンズ周縁部の境界特性に課題があったが、本可変焦点レンズによれば、透明膜の周縁部の膨出時の立ち上がりを良くして、レンズ周縁部における境界特性を良好にすることができる。また、本可変焦点レンズによれば、上記のように透明膜を接着するため、周縁部の接着強度が向上し、透明膜を広い範囲で膨出させることができ、レンズの度数の可変範囲を大きくすることができる。しかも、接着剤は透明基板の周縁端面と透明膜の裏面周縁部を接着するため、透明膜は充分な接着強度で接着することができる。
【００１６】
さらに、透明膜の裏面周縁部に接着剤が付されているため、従来のように透明基板の前面周縁部に透明膜を接着する可変焦点レンズのように、レンズの周縁部に接着剤層が滲むように広がることがなく、接着剤によるレンズ周縁部の見栄えの悪化を解消することができる。
【００１７】
さらに、請求項１０の発明は、計器盤の前面に可変焦点レンズを配設した計器であって、可変焦点レンズは、剛性を有した透明基板の表面を覆って弾性を有した透明膜が配設され、透明基板と透明膜の周縁部が接着剤により接着され、透明基板と透明膜との間に透明液体が充填され、透明基板の周縁端面と該透明膜の裏面周縁部に接着剤が付されて該透明膜と透明基板が接着され、透明基板に透明液体流通用の通路が設けられ、該通路の出口にチューブが接続され、チューブの先端に注入器が接続され、注入器により透明液体の充填量を変えてレンズの焦点距離を変化させることを特徴とする。この発明の計器によれば、可変焦点レンズを凸レンズとして計器の表示面である文字盤や指針を拡大して表示することができ、さらに、注入器により透明液体の充填量を調整することによって、計器を見る人の視力に合わせて、そのレンズの度数を調整し、観者に見やすい状態で、計器の拡大表示を行うことができる。
【００１８】
さらに、請求項１５の発明は、表示部の前面に可変焦点レンズを配設した表示器であって、可変焦点レンズは、剛性を有した透明基板の表面を覆って弾性を有した透明膜が配設され、透明基板と透明膜の周縁部が枠体を介して接着され、透明基板と透明膜との間に透明液体が充填されて構成され、透明基板の上面に枠体が接着され、枠体の上面に接着剤が付されて透明膜と枠体が接着され、透明基板に透明液体流通用の通路が設けられ、通路の出口にチューブが接続され、チューブの先端に注入器が接続され、注入器により透明液体の充填量を変えて可変焦点レンズの焦点距離を変化させることを特徴とする。
【００１９】
この発明の表示器によれば、可変焦点レンズを凸レンズとして表示器の表示面を拡大して表示することができ、さらに、注入器により透明液体の充填量を調整することによって、表示器を見る人の視力に合わせて、そのレンズの度数を調整し、観者に見やすい状態で、表示器の拡大表示を行うことができる。
【発明を実施するための最良の形態】
【００２０】
以下、本発明の実施の形態を図面に基づいて説明する。図１は第１実施形態の可変焦点レンズの断面図を示し、図２はその底面図を示している。この可変焦点レンズは、剛性を有した透明基板２の表面を覆って弾性を有した透明膜３が配設され、透明基板２と透明膜３の周縁部が接着剤４により接着され、透明基板２と透明膜３との間に透明液体８が充填されて構成される。
【００２１】
透明基板２は、平板状の透明板ガラスまたは透明合成樹脂板を円形に裁断して形成され、少なくとも形状保持性を持つ程度の剛性を有しており、さらにその一部には、透明液体を出し入れするための通路（貫通孔）５が形成され、通路５の出口にはチューブ６が接続されている。
【００２２】
透明基板２の表面を覆う透明膜３は、適度な弾性を有した合成樹脂、例えば、シリコン樹脂、塩化ビニル樹脂、熱可塑性エラストマーなどにより、薄い膜状に形成され、その厚さは０．２ｍｍ〜１．５ｍｍ程度であり、望ましくは、０．３ｍｍ〜１．２ｍｍの厚さが望ましい。接着剤４により周縁部を封止された透明基板２と透明膜３との間の内部空間には、シリコンオイル、エチレングリコール、グリセリン、水などの透明液体８が充填される。
【００２３】
透明膜３を透明基板２上に接着する場合、それらの裏側から接着剤を着けて接着する方法が採用される。つまり、透明膜３と透明基板２を重ねて裏向け状態とし、透明基板２の周縁端面と透明膜３の裏面の周縁部に、例えばシアノアクリレート系、シリコン系などの接着剤４を塗布して接着する。この接着方法によれば、図２に示すように、接着剤４は透明基板２の周縁部外側に均一なリング状となって塗布され、周囲に滲み出ることなく、良好な外観で接着することができる。また、接着剤４は透明膜３の裏面周縁部と透明基板２の周縁端部に確実に塗布されて両者を接着するため、接着剤をそれらの周縁部に簡単に置くように塗布するだけであっても、充分な接着強度をもって、透明膜３と透明基板２を簡単に接着することができる。またこのような接着剤４による接着により、透明膜３と透明基板２の間の内部空間は、確実に封止されることとなる。
【００２４】
一方、透明基板２の一部には透明液体用の通路５が穿設され、その出口にチューブ６が接続され、そのチューブ６の末端に例えばシリンジ式注入器７が接続される。シリンジ式注入器７にはピストンが摺動可能に嵌挿され、ピストンの出し入れ操作により、透明液体の注入量を調整する。この注入器７の操作によって、透明膜３と透明基板２内の透明液体の充填量を調整し、透明膜３の前方への膨らみを変化させて、レンズの表面の曲率を変え、レンズの焦点距離を変えるように操作する。可変焦点レンズの大きさにもよるが、例えば直径１０ｃｍ程度のレンズの場合、約５ｃｃ程度の量の透明液体を出し入れして、レンズの度数を変えることになるため、内径３〜１０ｍｍ程度の小型のシリンジ式注入器を使用することができる。
【００２５】
このように構成された図１、図２の可変焦点レンズは、例えばレンズの周囲に枠を取り付け、凸レンズとしてのルーペや拡大鏡として使用される。透明液体用のシリンジ式注入器７は、ルーペの枠或いは把持部に装着することができる。そして、透明膜３と透明基板２内には注入器７からチューブ６を通してシリコンオイル、エチレングリコール、グリセリン、水等の透明液体８を充填する。透明液体８の充填後は、シリンジ式注入器７のピストンを固定して使用し、レンズの度数を変更する際には注入器７を操作して透明液体８の充填量を調整することになる。
【００２６】
このような可変焦点レンズは、透明液体８の透明膜３内への充填により、透明膜３が前方に膨らみ、透明液体８の充填量に応じて透明膜３の表面の曲率つまりレンズの曲率が変化し、レンズの焦点距離が変わる。またこのとき、透明膜３は、透明基板２の周縁角部から直ぐに立ち上げるように膨らみ或いは縮むことができるため、レンズ周縁部の境界特性は良好となり、さらに、透明液体８の少しの充填量の変化でレンズの度数を効果的に変えることができる。また、シリンジ式注入器７のピストンの操作により、透明膜３内の透明液体の量を容易に変えてレンズ表面の曲率を変えることができ、これによって、レンズの焦点距離を簡単に変更して、ルーペの場合には、ルーペを通してみる虚像の大きさを簡単に変えることができる。
【００２７】
また、上記構成の可変焦点レンズは、上述のように、透明膜３が透明基板２の上にその裏側から接着剤４を透明膜３の裏側周縁部に沿って塗布し、透明基板２の周縁端部に接着するから、接着剤を周縁部に塗布するだけで、簡単に透明膜３を接着することができ、また、従来のように接着剤が透明基板の周縁の透明膜との間に滲み出てレンズの見栄えが悪化することがなく、良好な外観をもった可変焦点レンズを製作することができる。
【００２８】
なお、上記第１実施形態の可変焦点レンズの透明基板２は、図３に示すように、表面側に凸状に膨出した形状の透明基板１０２とすることもできる。この凸状に膨出した形状の透明基板１０２の表面には、上記と同様に、透明基板１０２の表面を覆って弾性を有した透明膜１０３が配設され、透明基板１０２と透明膜１０３の周縁部が、透明膜１０３の裏側から、その裏面周縁部と透明基板１０２の外側周縁端部に塗布した接着剤１０４により接着される。透明基板１０２の一部には通路１０５が形成され、通路１０５の出口に接続されたチューブ１０６から透明膜１０３との間に透明液体１０８が充填される。
【００２９】
また、図４に示すように、上記第１実施形態の可変焦点レンズの透明基板２の裏面には、高さの低い筒状体９を固定することができ、この筒状体９を透明基板２の裏面に固着することによって、筒状体９の下面の表示部分を充分に拡大することができる。
【００３０】
図５は第２実施形態の可変焦点レンズを示し、この例では、透明基板１２の表裏両面に透明膜１３ａ，１３ｂが接着され、その両側の透明膜１３ａ，１３ｂと透明基板１２の間に各々透明液体１８ａ，１８ｂが充填される。すなわち、この可変焦点レンズは、剛性を有した透明基板１２の表面と裏面を覆って弾性を有した透明膜１３ａ，１３ｂが配設され、透明基板１２の表裏面と両透明膜１３ａ，１３ｂの周縁部が各々接着剤１４ａ，１４ｂにより接着され、透明基板１２の表裏面と表裏の透明膜１３ａ，１３ｂとの間に、各々透明液体１８ａ，１８ｂが充填され、透明基板１２の表裏両面に上記と同様な可変焦点レンズが配設される。
【００３１】
透明基板１２は、平板状の透明板ガラスまたは透明合成樹脂板を円形に裁断して形成され、少なくとも形状保持性を持つ程度の剛性を有しており、さらにその一部には、図５に示すように、透明液体を出し入れするための通路（貫通孔）１５が略Ｔ字状に形成され、通路１５の出口（外側に開口する）にはチューブ１６が接続されている。透明膜１３ａ，１３ｂを透明基板１２の表裏面に接着する場合、上記と同様に、それらの裏側から接着剤を着けて接着する。
【００３２】
この接着方法によれば、接着剤１４ａ，１４ｂは透明基板１２の周縁部外側に均一なリング状となって塗布され、周囲に滲み出ることなく、良好な外観で接着することができる。また、接着剤１４ａ，１４ｂは透明膜１３ａ，１３ｂの裏面周縁部と透明基板１２の周縁端部に確実に塗布されて両者を接着するため、接着剤をそれらの周縁部に簡単に置くように塗布するだけであっても、充分な接着強度をもって、透明膜１３ａ，１３ｂと透明基板１２を簡単に接着することができる。
【００３３】
透明基板１２の一部には透明液体用の通路１５が略Ｔ字状に穿設され、その外側の出口にチューブ１６が接続される。そのチューブ１６の末端には図示しないシリンジ式注入器が接続される。シリンジ式注入器にはピストンが摺動可能に嵌挿され、ピストンの出し入れ操作により、透明液体の注入量を調整する。この注入器の操作によって、透明膜１３ａ，１３ｂと透明基板１２内の透明液体１８ａ，１８ｂの充填量を調整し、透明膜１３ａ，１３ｂの膨らみを変化させる。
【００３４】
このような可変焦点レンズは、透明液体１８ａ，１８ｂの透明膜１３ａ，１３ｂ内への充填により、透明膜１３ａ，１３ｂが膨らみ、透明液体１８ａ，１８ｂの充填量に応じて透明膜１３ａ，１３ｂの表面の曲率つまりレンズの曲率が変化し、レンズの焦点距離が変わる。このとき、透明膜１３ａ，１３ｂは、透明基板１２の周縁角部から直ぐに立ち上げるように膨らみ或いは縮むことができるため、レンズ周縁部の境界特性は良好となる。さらに、透明基板１２の両面に透明膜１３ａ，１３ｂによる凸レンズ部を形成しているから、両透明膜１３ａ，１３ｂ内に充填する透明液体１８ａ，１８ｂの量を変化させることにより、レンズの度数を大きく変化させることができる。
【００３５】
また、この可変焦点レンズは、上記と同様に、透明膜１３ａ，１３ｂが透明基板１２の表裏から接着剤１４ａ，１４ｂを透明膜１３ａ，１３ｂの裏側周縁部に沿って塗布し、透明基板１２の表裏の周縁端部に接着するから、接着剤を周縁部に塗布するだけで、簡単に透明膜１３ａ，１３ｂを接着することができ、さらに、従来のように接着剤が透明基板の周縁の透明膜との間に滲み出てレンズの見栄えが悪化することがなく、良好な外観をもった可変焦点レンズを製作することができる。
【００３６】
なお、上記第２実施形態の可変焦点レンズの透明基板１２は、図６に示すように、上面側に凸状に膨出した形状の透明基板１１２とすることもできる。この凸状に膨出した形状の透明基板１１２の表裏両面には、上記と同様に、透明基板１１２の表裏両面を覆って弾性を有した透明膜１１３ａ，１１３ｂが配設され、透明基板１１２と両透明膜１１３ａ，１１３ｂの周縁部が、透明膜１１３ａ，１１３ｂの裏側から、その裏面周縁部と透明基板１１２の外側周縁端部に塗布した接着剤１１４ａ，１１４ｂにより接着される。透明基板１１２の一部には通路１１５が形成され、通路１１５の出口に接続されたチューブ１１６から表裏両面の透明膜１１３ａ，１１３ｂとの間に透明液体１１８ａ，１１８ｂが充填される。
【００３７】
また、上記第２実施形態の可変焦点レンズの透明基板１２は、図７に示すように、凸レンズ形状とすることもできる。この凸レンズ形状の透明基板２１２とした場合も上記と同様に、透明基板２１２の表裏両面に透明膜２１３ａ，２１３ｂが接着され、その両側の透明膜２１３ａ，２１３ｂと透明基板２１２の間に各々透明液体２１８ａ，２１８ｂが充填される。
【００３８】
さらに、上記第２実施形態の可変焦点レンズの透明基板１２は、図８に示すように、２枚の透明基板３１２ａ，３１２ｂから形成し、各々の透明基板３１２ａ，３１２ｂの表面側に透明膜３１３ａ，３１３ｂを覆うように接着し、２枚の透明基板３１２ａ，３１２ｂを間に筒状体３１９を介装して相互に平行に固定することができる。
【００３９】
すなわち、この両側の透明基板３１２ａ，３１２ｂの表面には、上記と同様に、透明膜３１３ａ，３１３ｂが、透明基板３１２ａ，３１２ｂの周縁端面と透明膜３１３ａ，３１３ｂの裏面の周縁部に、接着剤３１４ａ，３１４ｂを塗布して接着する。透明基板３１２ａと透明膜３１３ａの間及び透明基板３１２ｂと透明膜３１３ｂの間に、各々透明液体３１８ａ，３１８ｂが充填され、透明基板３１２ａ，３１２ｂの表裏面に上記と同様な可変焦点レンズが配設される。そして、各透明基板３１２ａ，３１２ｂの一部には、透明液体を出し入れするための通路（貫通孔）３１５ａ，３１５ｂが形成され、その通路の出口には透明液体３１８ａ，３１８ｂを注入するためのチューブ３１６が接続されている。
【００４０】
このような構成の可変焦点レンズでは、上記第２実施形態と同様に、透明基板３１２ａ，３１２ｂの両面に透明膜３１３ａ，３１３ｂによる凸レンズ部を形成しているから、両透明膜３１３ａ，３１３ｂ内に充填する透明液体３１８ａ，３１８ｂの量を変化させることにより、レンズの度数を大きく変化させることができる。
【００４１】
図９は、上記実施形態における別の形態を示し、この形態の可変焦点レンズでは上記図８の可変焦点レンズから２枚の透明基板が削除され、且つ２枚の透明基板３１２ａ，３１２ｂは、筒状体３１９の端部に接着されて構成される。すなわち、図９に示すように、２枚の透明膜４１３ａ，４１３ｂは筒状体４１９の上端部と下端部に、その上開口部と下開口部を覆うように配置され、２枚の透明膜４１３ａ，４１３ｂは、各々その裏面から外周縁部に接着剤４１４ａ，４１４ｂが塗布され、筒状体３１９の外周端部との間で接着される。
【００４２】
筒状体３１９の一部には、透明液体４１８を充填するための通路４１５が貫通して形成され、その通路４１５にチューブ４１６が接続される。チューブ４１６の末端には、例えばシリンジ式注入器が接続され、シリンジ式注入器の操作により透明液体４１８の充填量を調整してレンズの度数を変化させる。このような構成の可変焦点レンズは、上記と同様に、その表裏両面に透明膜４１３ａ，４１３ｂによる凸レンズ部を形成しているから、透明膜４１３ａ，４１３ｂ内に充填する透明液体４１８の量を変化させることにより、レンズの度数を大きく変化させることができる。
【００４３】
図１０、図１１は第３実施形態の可変焦点レンズを示している。この例では、透明基板５１２の上面に筒状体５１９が固着または一体成形され、筒状体５１９の上にその開口部を閉鎖するように透明膜５１３が接着され、その透明膜５１３と透明基板５１２と筒状体５１９により閉鎖された空間内に透明液体５１８が充填される。
【００４４】
すなわち、この可変焦点レンズは、図１０、図１１に示すように、剛性を有した透明基板５１２の上面に筒状体５１９が設けられ、その筒状体５１９の上開口部を覆って弾性を有した透明膜５１３が配設され、透明膜５１３の周縁部が接着剤５１４により裏側から筒状体５１９の周縁端部に接着される。そして、透明基板５１２と筒状体５１９と透明膜５１３で密閉する空間内に、透明液体５１８が充填される。
【００４５】
筒状体５１９の一部には、図１０、図１１に示すように、透明液体５１８を出し入れするための通路（貫通孔）が貫通して形成され、その通路にはチューブ５１６が接続されている。チューブ５１６の末端には、透明液体５１８を注入するための図示しないシリンジ式注入器が接続される。
【００４６】
透明膜５１３は、上記のように、筒状体５１９の上周縁部に裏面から接着剤５１４を塗布して接着されるが、この接着方法によれば、上記と同様に、接着剤５１４が透明膜５１３の裏側周縁部における筒状体５１９との境界部分（角部）に塗布されて透明膜５１３と筒状体５１９が接着されるため、接着剤がレンズの周囲に滲み出ることなく、良好な外観で接着することができる。また、接着剤５１４は透明膜５１３の裏面周縁部に確実に塗布されて両者を接着するため、接着剤をそれらの周縁部に簡単に置くように塗布するだけであっても、充分な接着強度をもって、透明膜５１３を簡単に接着することができる。
【００４７】
この可変焦点レンズは、透明液体５１８の透明膜５１３内への充填により、透明膜５１３が膨らみ、透明液体５１８の充填量に応じて透明膜５１３の表面の曲率つまりレンズの曲率が変化し、レンズの焦点距離が変わる。このとき、透明膜５１３は、筒状体５１９の上周縁部から直ぐに立ち上げるように膨らみ或いは縮むことができるため、レンズ周縁部の境界特性は良好となる。
【００４８】
また、この可変焦点レンズは、上記と同様に、接着剤５１４を透明膜５１３の裏側周縁部に沿って塗布して、筒状体５１９上周縁端部に接着するから、接着剤を透明膜の裏面周縁部に塗布するだけで、簡単に透明膜５１３を接着することができ、さらに、従来のように接着剤が透明基板の周縁の透明膜との間に滲み出てレンズの見栄えが悪化することがなく、良好な外観をもった可変焦点レンズを製作することができる。
【００４９】
図１２は第４実施形態の可変焦点レンズを示している。この例では、透明基板６１２の上面に枠体６１９が接着され、枠体６１９の上に透明膜６１３が接着され、その透明膜６１３と透明基板６１２と枠体６１９により閉鎖された空間内に透明液体６１８が充填される。
【００５０】
すなわち、この可変焦点レンズは、図１２に示すように、剛性を有した透明基板６１２の上面に枠体６１９が接着され、その枠体６１９の上に弾性を有した透明膜６１３が覆うように配設され、透明膜６１３の周縁部が接着剤６１４により裏側から枠体６１９の周縁端部に接着される。枠体６１９は弾性を有した合成樹脂によりリング状に形成することが望ましい。枠体６１９の断面形状は、通常の矩形断面とすれば良いが、弾性を有した合成樹脂により枠体６１９を形成した場合、透明膜６１３の接着によって、或いは透明膜６１３の膨出によって枠体６１９がその上面を図１２に示すように傾斜させた台形状に弾性変形することとなり、レンズ周縁部の境界特性が良好となる。そして、透明基板６１２と枠体６１９と透明膜６１３で密閉する空間内に、透明液体６１８が充填される。
【００５１】
透明基板６１２の一部には、図１２に示すように、透明液体６１８を出し入れするための通路６１５（貫通孔）が貫通して形成され、その通路にはチューブ６１６が接続されている。チューブ６１６の末端には、透明液体６１８を注入するためのシリンジ式注入器７が接続される。
【００５２】
透明膜６１３は、上記のように、枠体６１９の上周縁部に裏面から接着剤６１４を塗布して接着されるが、この接着方法によれば、上記と同様に、接着剤６１４が透明膜６１３の裏側周縁部における枠体６１９との境界部分（角部）に塗布されて透明膜６１３と枠体６１９が接着されるため、接着剤がレンズの周囲に滲み出ることなく、良好な外観で接着することができる。また、接着剤６１４は透明膜６１３の裏面周縁部に確実に塗布されて両者を接着するため、接着剤をそれらの周縁部に簡単に置くように塗布するだけであっても、充分な接着強度をもって、透明膜６１３を簡単に接着することができる。
【００５３】
この可変焦点レンズは、透明液体６１８の透明膜６１３内への充填により、透明膜６１３が膨らみ、透明液体６１８の充填量に応じて透明膜６１３の表面の曲率つまりレンズの曲率が変化し、レンズの焦点距離が変わる。このとき、透明膜６１３は、枠体６１９の上周縁部から直ぐに立ち上げるように膨らみ或いは縮むことができるため、レンズ周縁部の境界特性は良好となる。
【００５４】
また、この可変焦点レンズは、上記と同様に、接着剤６１４を透明膜６１３の裏側周縁部に沿って塗布して、筒状体６１９上周縁端部に接着するから、接着剤を透明膜の裏面周縁部に塗布するだけで、簡単に透明膜６１３を接着することができ、さらに、従来のように接着剤が透明基板の周縁の透明膜との間に滲み出てレンズの見栄えが悪化することがなく、良好な外観をもった可変焦点レンズを製作することができる。
【００５５】
さらに、図１３は第５実施形態の可変焦点レンズを示している。この例では、透明膜７１３の下面に環状の枠体７１９が接着され、枠体７１９の内側に透明基板７１２が嵌入接着され、その透明膜７１３と透明基板７１２により閉鎖された空間内に透明液体７１８が充填される。
【００５６】
すなわち、この可変焦点レンズは、図１３に示すように、弾性を有した透明膜７１３の下面の周縁部に沿って環状の枠体７１９が接着され、その枠体７１９の内側に剛性を有した透明基板７１２が嵌入され接着される。このとき、透明膜７１３は枠体７１９の上面に接着剤を用いて接着されるが、枠体７１９の上面に接着剤が付着するのみであるため、接着剤が周囲に滲み出ることはなく、良好な外観で接着が可能となる。
【００５７】
また、透明基板７１２は枠体７１９の内側に嵌入し、その外周縁部で枠体に対し接着されるため、接着強度は充分に高く、透明膜７１３の内側に接着剤が滲み出ることもない。枠体７１９は、上記と同様に、弾性を有した合成樹脂によりリング状に形成することが望ましく、枠体７１９の断面形状は、通常の矩形断面とすれば良いが、弾性を有した合成樹脂により枠体７１９を形成した場合、透明膜７１３の膨出によって枠体７１９がその上面を図１３に示すように傾斜させた台形状に弾性変形することとなり、レンズ周縁部の境界特性が良好となる。そして、透明基板７１２と透明膜７１３で密閉する空間内に、透明液体７１８が充填される。
【００５８】
透明基板７１２の一部には、図１３に示すように、透明液体７１８を出し入れするための通路７１５（貫通孔）が貫通して形成され、その通路にはチューブ７１６が接続されている。チューブ７１６の末端には、透明液体７１８を注入するための注入器が接続される。
【００５９】
この可変焦点レンズは、透明液体７１８の透明膜７１３内への充填により、透明膜７１３が膨らみ、透明液体７１８の充填量に応じて透明膜７１３の表面の曲率つまりレンズの曲率が変化し、レンズの焦点距離が変わる。このとき、透明膜７１３は、枠体７１９の上面から直ぐに立ち上げるように膨らむが、上記のように、枠体７１９が弾性を有した合成樹脂製の場合、その断面形状が矩形であっても、図１３のように、上面を傾斜させた台形状に弾性変形し、レンズ周縁部の境界特性は良好となる。
【００６０】
なお、上記図１２，１３の実施形態において、上記枠体６１９，７１９は弾性を有した合成樹脂により形成したが、枠体の上面をその外側で低くその内側で高くなるように傾斜させた形状（台形の断面形状）とすれば、弾性を有しない合成樹脂であっても、良好なレンズの境界特性を得ることができる。
【００６１】
図１４は、上記第１実施形態の可変焦点レンズを使用した計器の断面図を示している。この計器は、その文字盤２１の前面に可変焦点レンズ２０を配設し、文字盤２１の表示を拡大表示できるようにしている。すなわち、この可変焦点レンズ２０は、上記第１実施形態と同様に、剛性を有した透明基板２の表面を覆って弾性を有した透明膜３が配設され、透明基板２と透明膜３の周縁部が接着剤４により接着される。つまり、透明基板２の周縁端面と透明膜３の裏面周縁部に接着剤４が付されて透明膜３と透明基板２が裏面側から接着される。透明基板２に透明液体流通用の通路５が設けられ、通路５の出口にチューブ６が接続され、チューブ６の先端にピストンを備えたシリンジ式注入器が接続される。
【００６２】
このような可変焦点レンズ２０は、計器の表示面である指針２２（ムーブメント２４の軸に固定）や文字盤２１などが配置された計器の前面を覆うように配設され、その前面を覆うように透明カバー２３が取り付けられる。シリンジ式注入器は、計器の側部に設置するか、或いは計器が自動車用計器の場合には、インストルメントパネルの一部に操作ノブを設け、その操作ノブによりシリンジ式注入器のピストンを動かすように連結することができる。
【００６３】
そして、上記と同様に、透明基板２と透明膜３との間に透明液体８が充填され、シリンジ式注入器により透明液体８の充填量を変えてレンズの焦点距離を変化させる。シリンジ式注入器のピストンを操作ノブの移動操作に応じて、例えば３段階に移動できるようする。これにより、使用者がインストルメントパネルの一部に設けた操作ノブを操作したとき、シリンジ式注入器のピストンが移動して、透明膜３内の透明液体８の充填量が変化し、それによって、透明膜の曲率を変えて、凸レンズとしての可変焦点レンズの度数を変化させる。
【００６４】
このような可変焦点レンズ２０を設けた計器によれば、可変焦点レンズ２０を凸レンズとして、計器の表示面である文字盤や指針を拡大して表示することができ、さらに、操作ノブに連動したシリンジ式注入器により透明液体８の充填量を調整することによって、計器を見る人の視力に合わせて、可変焦点レンズ２０の度数を調整し、観者に見やすい状態で、計器の拡大表示を行うことができる。
【００６５】
図１５、図１６は、可変焦点レンズを用いた計器の他の実施形態を示している。この計器の正面の一部、つまり速度メータにおけるトリップメータ３４の前面に可変焦点レンズ８０を配設し、トリップメータ３４を拡大して視認できるようにしている。
【００６６】
すなわち、この可変焦点レンズ８０は、剛性を有した透明基板８１２の上面に枠体８１９が接着され、その枠体８１９の上に弾性を有した透明膜８１３が覆うように配設され、透明膜８１３の周縁部が接着剤８１４により裏側から枠体８１９の周縁端部に接着される。この透明基板８１２は、トリップメータ３４の前面ガラス（透明板）を兼用しており、そのメータの前面ガラスとしての透明基板８１２上に、上記のように透明膜８１３の周縁部が枠体８１９を介して接着されている。枠体８１９は上記と同様に弾性を有した合成樹脂によりリング状に形成され、枠体８１９の断面形状は、矩形或いは上面を傾斜させた台形とすることができる。
【００６７】
そして、透明基板８１２と枠体８１９と透明膜８１３で密閉する空間内に、透明液体８１８が充填される。透明基板８１２に透明液体流通用の通路８１５が設けられ、通路８１５の出口にチューブ８１６が接続され、チューブ８１６の先端にピストンをシリンジ式注入器７が接続される。トリップメータ３４を設けた速度メータの前面は透明カバー３３によって覆われており、シリンジ式注入器７の操作部は、図１６に示すように、その透明カバー３３から前方に突出している。
【００６８】
したがって、使用者は、メータの前面に位置する注入器７の操作部（ピストンの端部）を押すと、透明液体８１８がレンズ内に注入され、これにより、透明膜８１３が膨出して、凸レンズとしての可変焦点レンズの度数を変化させることができる。このように、計器の一部、特に表示文字が比較的小さい部分に、可変焦点レンズ８０を設けて、それを拡大して見るようにし、これによって、視力の弱い人がメータを見る場合、操作部を押すだけの簡単な操作で、計器の小さな文字を容易に見ることができる。
【００６９】
図１８、図１９は、電気製品などの各種の表示器の表示部を、可変焦点レンズを用いた拡大して視認できるようにした実施形態を示している。この例の電気製品は、例えば電気冷蔵庫であり、その電気冷蔵庫の庫内の壁部に設けられた警告表示部４４の前面に可変焦点レンズ９０を配設し、その警告表示部４４を拡大して視認できるようにしている。警告表示部４４は液晶表示部に隣接して設けられ、印刷した文字を表示した部分である。
【００７０】
この可変焦点レンズ９０は、上記と同様に、剛性を有した透明基板９１２の上面に枠体９１９が接着され、その枠体９１９の上に弾性を有した透明膜９１３が覆うように配設され、透明膜９１３の周縁部が接着剤９１４により裏側から枠体９１９の周縁端部に接着される。この透明基板９１２は、電気製品の警告表示部４４の上に接着され、透明基板９１２上に、上記のように透明膜９１３の周縁部が枠体９１９を介して接着されている。枠体９１９は上記と同様に弾性を有した合成樹脂によりリング状に形成され、枠体９１９の断面形状は、矩形或いは上面を傾斜させた台形とすることができる。
【００７１】
そして、透明基板９１２と枠体９１９と透明膜９１３で密閉する空間内に、透明液体９１８が充填される。透明基板９１２に透明液体流通用の通路９１５が設けられ、通路９１５の出口にチューブ９１６が接続され、チューブ９１６の先端にピストンを有したシリンジ式注入器７が接続される。電気製品の警告表示部４４の前面は可変焦点レンズ９０と共に透明カバー４３によって覆われており、シリンジ式注入器７の操作部は、その透明カバー４３の隣に配設されている。このシリンジ式注入器７のピストンロッドにはコイルばねが外嵌されており、ピストンロッドの先端の操作部をコイルばねのばね力に抗して押し下げ操作する構造である。
【００７２】
したがって、使用者は、警告表示部４４に隣接して位置する注入器７の操作部をコイルばねのばね力に抗して押すと、透明液体９１８がレンズ内に注入され、これにより、透明膜９１３が膨出して、凸レンズとしての可変焦点レンズの度数が変化し、警告表示部４４の小さな文字が拡大して表示される。これにより、警告表示部に記載された文章の文字が小さい場合であっても、可変焦点レンズ９０を通してその警告文を拡大して見ることができ、これによって、視力の弱い人が警告表示を見る場合、操作部を押すだけの簡単な操作で、文字を大きくして容易に見ることができる。
【００７３】
また、シリンジ式注入器７の操作部から手を離せば、注入器のピストンはコイルばねのばね力で元の位置に戻り、可変焦点レンズ９０の度数は通常時に戻るから、使用者は警告表示部４４を見たいときのみ、注入器７の操作部を押してそれを拡大し、見た後は元の非拡大状態に戻すため、警告表示部４４は通常時にはあまり目立たない状態としておくことができる。
【００７４】
なお、上記実施形態では、可変焦点レンズを計器、家庭用電気製品に使用した例を説明したが、上記構成の可変焦点レンズを、自動販売機の表示部など（例えば液晶ディスプレイ装置などの表示器の表示部、或いは文字などを印刷した表示部）に使用し、その表示部を、可変焦点レンズを通して拡大してみることもできる。この場合、自動販売機の表示器の表示部における透明板の前面に、可変焦点レンズを装着し、視力の弱い人がその表示部を見る場合、注入器７を操作して凸レンズとしての可変焦点レンズの度数を上げて拡大表示するようにし、視力の弱い人がそれを見終わったときには、操作部を元に戻して、可変焦点レンズの度数を下げれば、通常の視力の人でも、違和感なく表示部を見ることができる。
【００７５】
また、上記実施形態では、シリンジ式注入器を使用したが、ベロー式注入器或いはスポイト式注入器を使用して、透明液体の充填量を調整することもできる。
【００７６】
また、それらのシリンジ式注入器、ベロー式注入器、或いはスポイト式注入器には、例えばピストンにコイルばねなどの付勢手段を取り付けることができる。この場合、操作ボタンを押してピストンを、コイルばねのばね力に抗して一方向に移動させた際、透明液体が充填されて度数が大きくなり、操作ボタンをはなしたときには、自動的にピストンが元の位置に戻り、透明液体の充填量が減少して度数が通常の状態に戻るよう構造とすることができる。
【００７７】
さらに、上記実施形態では、可変焦点レンズの形状は主に円形としたが、楕円形或いは角部に丸みをつけた矩形とすることもできる。
【００７８】
以上説明したように、本発明の可変焦点レンズによれば、透明基板の周縁端面と透明膜の裏面周縁部に接着剤が付されて透明膜と透明基板が接着されているため、従来のように透明基板の前面周縁部に透明膜を接着する場合に比べ、透明膜の周縁部の膨出時の立ち上がりを良好にすることができ、それによってレンズ周縁部における境界特性を改善することができる。また、透明膜を透明基板の周縁端部に接着するため、透明膜を広い範囲で膨出させることができ、レンズの度数の可変範囲を大きくすることができ、しかも、接着剤は透明基板の周縁端面と透明膜の裏面周縁部を接着するため、透明膜は充分な接着強度で接着することができる。さらに、透明膜の裏面周縁部に接着剤が付されているため、従来の透明基板の前面周縁部に透明膜を接着する可変焦点レンズのように、レンズの周縁部に接着剤層が滲むように広がることがなく、接着剤によるレンズ周縁部の見栄えの悪化を解消することができる。
【図面の簡単な説明】
【００７９】
【図１】本発明の第１実施形態の可変焦点レンズの断面図である。
【図２】同可変焦点レンズの底面図である。
【図３】他の実施形態の可変焦点レンズの断面図である。
【図４】さらに他の実施形態の可変焦点レンズの断面図である。
【図５】本発明の第２実施形態の可変焦点レンズの断面図である。
【図６】他の実施形態の可変焦点レンズの断面図である。
【図７】さらに他の実施形態の可変焦点レンズの断面図である。
【図８】さらに別の実施形態の可変焦点レンズの断面図である。
【図９】さらに別の実施形態の可変焦点レンズの断面図である。
【図１０】本発明の第３実施形態の可変焦点レンズの断面図である。
【図１１】同可変焦点レンズの底面図である。
【図１２】本発明の第４実施形態の可変焦点レンズの断面図である。
【図１３】本発明の第５実施形態の可変焦点レンズの断面図である。
【図１４】本発明の可変焦点レンズを使用した計器の断面図である。
【図１５】本発明の可変焦点レンズを使用した計器の他の例の正面図である。
【図１６】同可変焦点レンズの断面図である。
【図１７】本発明の可変焦点レンズを使用した電気製品の警告表示部の正面図である。
【図１８】同可変焦点レンズの断面図である。
【符号の説明】
【００８０】
２−透明基板
３−透明膜
４−接着剤
５−通路
６−チューブ
７−シリンジ式注入器
８−透明液体
【図１】
2005284066.tif 000003
【図２】
2005284066.tif 000004
【図３】
2005284066.tif 000005
【図４】
2005284066.tif 000006
【図５】
2005284066.tif 000007
【図６】
2005284066.tif 000008
【図７】
2005284066.tif 000009
【図８】
2005284066.tif 000010
【図９】
2005284066.tif 000011
【図１０】
2005284066.tif 000012
【図１１】
2005284066.tif 000013
【図１２】
2005284066.tif 000014
【図１３】
2005284066.tif 000015
【図１４】
2005284066.tif 000016
【図１５】
2005284066.tif 000017
【図１６】
2005284066.tif 000018
【図１７】
2005284066.tif 000019
【図１８】
2005284066.tif 000020